(57)【特許請求の範囲】
【請求項１】
固有の識別番号を有し、外部との通信を行う通信手段と、
車両の現在位置を検出する位置検出手段と、経由地または目的地を入力する目的地入力手段と、地図データを記憶する地図データ記憶手段と、前記車両の現在位置と前記目的地とに基づいて前記地図データから走行経路を算出する経路算出手段と、
前記走行経路上の経由地あるいは前記目的地毎に異なる前記識別番号を対応付けて記憶する経路情報記憶手段と、
外部の通信相手から前記通信手段に着信があった場合に、前記通信相手が有する前記識別番号と、前記経路情報記憶手段に記憶した前記目的地あるいは前記経由地の前記識別番号とを比較する識別番号比較手段と、
前記識別番号比較手段にて前記通信相手が有する前記識別番号と前記目的地あるいは前記経由地の前記識別番号とが一致したと判定した場合に、前記車両の現在位置に関する情報を前記通信相手に自動的に送信する車両情報通知手段と
を備えたことを特徴とするナビゲーション装置。
【請求項２】
前記目的地あるいは前記経由地と前記車両の現在位置とに基づいて、前記目的地あるいは前記経由地と前記車両の現在位置との間の距離を前記地図データから算出する距離算出手段を備え、
前記車両情報通知手段は、前記識別番号比較手段にて前記通信相手が有する前記識別番号と前記目的地あるいは前記経由地の識別番号とが一致したと判定した場合に、前記距離の情報を前記通信相手に自動的に送信することを特徴とする請求項１に記載のナビゲーション装置。
【請求項３】
前記車両の現在位置に対する位置情報を記憶する位置情報記憶手段を備え、
前記車両情報通知手段は、前記車両の現在位置に対する前記位置情報を前記位置情報記憶手段から抽出して、前記通信相手に自動的に送信することを特徴とする請求項１に記載のナビゲーション装置。
【発明の詳細な説明】
【０００１】
【発明の属する技術分野】
本発明は、車両に搭載されて、着脱可能に接続された携帯端末を介して外部と通信可能とされたナビゲーション装置に係り、特に、携帯端末への着信に対して自動応答を行う技術に関する。
【０００２】
【従来の技術】
従来、例えば特開平１１−１３２７７８号公報に開示された経路誘導装置のように、例えば車両の走行中等において、ナビゲーション端末と接続可能に備えられた携帯電話等の携帯端末に着信があった場合に、この着信に対して、予め設定された所定の応答メッセージと共に車両の現在位置や走行方向等の情報からなる音声信号を自動的に送信するナビゲーション装置が知られている。
このようなナビゲーション装置において、携帯端末の着信に対する通信相手は、ナビゲーション装置側から自動応答の音声信号を受信すると、携帯端末の所有者が車両の運転中であって着信に応答することができない状態であることを把握することができるようにされている。
【０００３】
【発明が解決しようとする課題】
ところで、上記従来技術の一例による経路誘導装置では、携帯端末の所有者が着信に応答できないことを通知する応答メッセージと共に車両の現在位置や走行方向等の情報を音声信号として発信者側に自動的に通知することから、例えば不特定多数からの着信に対しても車両の現在位置や走行方向等の情報が通知されてしまう。このため、携帯端末の所有者は自動応答に対する詳細な動作設定、例えば車両の情報を通知する相手の設定等を行うことができず、携帯端末の所有者のプライバシーを保護することができないという問題がある。
本発明は上記事情に鑑みてなされたもので、自動応答に対して操作者の要求に応じた柔軟な動作設定を行うことができると共に、操作者のプライバシーを保護することが可能なナビゲーション装置を提供することを目的とする。
【０００４】
【課題を解決するための手段】
上記課題を解決して係る目的を達成するために、請求項１に記載の本発明のナビゲーション装置は、固有の識別番号（例えば、後述する実施形態での電話番号）を有し、外部との通信を行う通信手段（例えば、後述する実施形態での通信端末１１）と、車両の現在位置を検出する位置検出手段（例えば、後述する実施形態での自車位置検出部３１）と、経由地または目的地を入力する目的地入力手段（例えば、後述する実施形態での入力部１２）と、地図データを記憶する地図データ記憶手段（例えば、後述する実施形態での地図データ記憶部１５）と、前記車両の現在位置と前記目的地とに基づいて前記地図データから走行経路を算出する経路算出手段（例えば、後述する実施形態での経路算出部３２）と、前記走行経路上の経由地あるいは前記目的地毎に異なる前記識別番号を対応付けて記憶する経路情報記憶手段（例えば、後述する実施形態での目的地設定部３５）と、外部の通信相手から前記通信手段に着信があった場合に、前記通信相手が有する前記識別番号と、前記経路情報記憶手段に記憶した前記目的地あるいは前記経由地の前記識別番号とを比較する識別番号比較手段（例えば、後述する実施形態での電話番号比較部３３）と、前記識別番号比較手段にて前記通信相手が有する前記識別番号と前記目的地あるいは前記経由地の前記識別番号とが一致したと判定した場合に、前記車両の現在位置に関する情報を前記通信相手に自動的に送信する車両情報通知手段（例えば、後述する実施形態でのハンズフリー装置３４）とを備えたことを特徴としている。
【０００５】
上記構成のナビゲーション装置によれば、予め、操作者は目的地あるいは走行経路上の経由地に対して、例えば電話番号等からなる所定の識別番号を対応付けて記憶しておく。そして、操作者が所有する例えば携帯電話等からなる通信手段に着信があると、この着信の通信相手の電話番号と、予め記憶した電話番号とを比較する。この比較結果として、一致すると判定した場合には、例えば操作者は車両の運転中であって着信に応答することができないことを通知するメッセージと共に、車両の現在位置に関する情報、例えば車両の現在位置や目的地あるいは経由地までの距離や目的地あるいは経由地への到着予定時刻等の情報を通知する音声メッセージを通信相手に送信する。
一方、比較結果として、一致しないと判定した場合には、例えば操作者は車両の運転中であって着信に応答することができないことを通知するメッセージのみを通信相手に送信する。
これにより、予め操作者が設定した通信相手として、目的地あるいは走行経路上の経由地にのみ車両の現在位置に関する情報を通知することができ、例えば車両の走行経路上から外れるその他の場所からの着信に対しては、車両の現在位置に関する情報を通知すること無しに、操作者のプライバシーを保護して、適切な自動応答を行うことができる。
【０００６】
さらに、請求項２に記載の本発明のナビゲーション装置は、前記目的地あるいは前記経由地と前記車両の現在位置とに基づいて、前記目的地あるいは前記経由地と前記車両の現在位置との間の距離を前記地図データから算出する距離算出手段（例えば、後述する実施形態では経路算出部３２が兼ねる）を備え、前記車両情報通知手段は、前記識別番号比較手段にて前記通信相手が有する前記識別番号と前記目的地あるいは前記経由地の識別番号とが一致したと判定した場合に、前記距離の情報を前記通信相手に自動的に送信することを特徴としている。
【０００７】
上記構成のナビゲーション装置によれば、目的地や経由地からの着信があった場合には、車両の現在位置の情報を通知する音声メッセージを送信すると共に、この通信相手と車両の現在位置との間の距離を算出して、この距離の情報を通知する音声メッセージを送信する。
これにより、車両の走行経路上に存在する通信相手は、操作者の現在位置と共に、この現在位置までの距離の情報を容易に取得することができる。この場合、距離の情報と共に、例えば車両の到着予定時刻等の情報が通信相手に送信されても良く、通信相手側では車両の到着を予期して適宜の準備等を行うことも可能となる。
【０００８】
さらに、請求項３に記載の本発明のナビゲーション装置は、前記車両の現在位置に対する位置情報を記憶する位置情報記憶手段（例えば、後述する実施形態では、地図データ記憶部１５が兼ねる）を備え、前記車両情報通知手段は、前記車両の現在位置に対する前記位置情報を前記位置情報記憶手段から抽出して、前記通信相手に自動的に送信することを特徴としている。
【０００９】
上記構成のナビゲーション装置によれば、目的地や経由地からの着信があった場合には、車両の現在位置の情報を通知する音声メッセージを送信すると共に、車両の現在位置に対する位置情報を通知する音声メッセージを通信相手に送信する。
これにより、通信相手は、操作者の現在位置と共に、この現在位置の位置情報を容易に取得することができる。この場合、位置情報と共に、例えば車両の到着予定時刻等の情報が通信相手に送信されても良く、通信相手側では車両の到着を予期して適宜の準備等を行うことも可能となる。
【００１０】
【発明の実施の形態】
以下、本発明の一実施形態に係るナビゲーション装置について添付図面を参照しながら説明する。図１は本発明の一実施形態に係るナビゲーション装置１０の構成図である。
本実施の形態によるナビゲーション装置１０は、例えば車両に搭載された車両用のナビゲーション端末をなすものであって、着脱可能に接続された携帯電話等からなる通信端末１１と、入力部１２と、表示部１３と、音声出力部１４と、地図データ記憶部１５と、測位信号受信部１６と、ヨーレイトセンサ１７と、車速センサ１８と、電話番号入力部１９と、制御装置２０とを備えて構成されている。
【００１１】
通信端末１１は、例えば車両の乗員が携帯する携帯電話等の携帯端末や自動車電話等をなし、発呼および着呼の発着信を行うと共に、後述するように所定の通信相手からの着信に対して自動応答メッセージや車両に関する情報（例えば、現在位置等）の音声信号を通信相手に送信する。
入力部１２は、例えば経路誘導等に必要とされる目的地や経由地等の入力項目の入力を行う。
表示部１３は、例えば地図データ記憶部１５から検索して取得した地図データを表示すると共に、表示された地図データ上に例えば車両の現在位置や目的地までの経路情報や渋滞情報、規制情報等の付加情報を表示する。
音声出力部１４は、例えば経路誘導等に関する各種の音声メッセージを出力する。
地図データ記憶部１５は、例えばＣＤ−ＲＯＭやＤＶＤ−ＲＯＭ等のコンピュータ読み取り可能な記録媒体からなり、地図データと共に地図上の適宜の位置に対する位置情報を格納する。また、予め所定の位置情報に対応した電話番号も格納する。
【００１２】
測位信号受信部１６は、例えば人工衛星を利用して車両の位置を測定するためのＧＰＳ（Global Position System）信号や、例えば適宜の基地局を利用してＧＰＳ信号の誤差を補正して測位精度を向上させるためのＤ（Differential）ＧＰＳ信号等の測位信号を受信して制御装置２０へ出力する。
ヨーレイトセンサ１７は、例えば圧電素子やジャイロセンサー等からなり、水平面内での車両の向きや鉛直方向に対する傾斜角度の角度変化量等を検出して制御装置２０へ出力する。
車速センサ１８は、例えば車両の速度や加速度を検出して制御装置２０へ出力する。
【００１３】
電話番号入力部１９は、車両の目的地に対応付けられた電話番号を入力する。
制御装置２０は、後述するように、電話番号入力部１９にて入力された、あるいは予め地図データ記憶部１５に記憶された目的地に対応付けられた電話番号に基づいて、通信端末１１の着信に対する応答を制御するものであって、例えば自車位置検出部３１と、経路算出部３２と、電話番号比較部３３と、ハンズフリー装置３４、目的地設定部３５とを備えて構成されている。
【００１４】
自車位置検出部３１は、測位信号受信部１６から送信されるＧＰＳ信号やＤＧＰＳ信号等の測位信号や、ヨーレイトセンサ１７および車速センサ１８から出力される検出信号に基づく自律航法の算出処理によって車両の現在位置を算出する。さらに、算出した車両の現在位置と地図データ記憶部１５から取得した地図データとに基づいてマップマッチングを行う。
経路算出部３２は、自車位置検出部３１にて算出した車両の現在位置と、入力部１２から入力された目的地や経由地等の情報とに基づいて走行経路を算出する。また、車両の現在位置と目的地あるいは経由地との間の距離及び到着予定時間も算出する。
【００１５】
電話番号比較部３３は、通信端末１１の着信に対する通信相手の電話番号と、
電話番号入力部１９にて入力された目的地の電話番号とを比較する。
ハンズフリー装置３４は、例えば着信に対する通信相手の電話番号等を表示部１３に出力する出力部（図示略）や、車両の乗員の音声等を集音するマイク（図示略）や、通信端末１１からの音声信号を音声出力部１４に出力する出力部（図示略）や、さらに、目的地や経由力の着信があった場合に音声メッセージを作成して音声出力部１４に出力を行う出力部（図示略）等を備えて構成されている。
目的地設定部３５は、入力部１２にて入力された目的地の情報と、電話番号入力部１９にて入力された目的地の電話番号と、経路算出部３２にて算出した走行経路とを記憶する。
【００１６】
本実施の形態によるナビゲーション装置１０は上記構成を備えており、次に、このナビゲーション装置１０の動作について添付図面を参照しながら説明する。図２は図１に示すナビゲーション装置１０の動作、特に通信端末１１の着信に対する自動応答の処理を示すフローチャートである。
先ず、図２に示すステップＳ０１においては、例えば車両の目的地を設定する。
次に、ステップＳ０２においては、目的地に対応付けられた目的地電話番号を設定する。
なお、Ｓ０１において設定した目的地に対する電話番号が、予め地図データ記憶部１５に格納されていた場合には、自動的に地図データ記憶部１５から目的地に対する所定の電話番号が検索されて、目的地電話番号として設定されるようにしても良い。
【００１７】
次に、ステップＳ０３においては、通信端末１１の着信に対する自動応答の設定がオン状態であるか否かを判定する。
この判定結果が「ＮＯ」の場合には、一連の処理を終了する。一方、この判定結果が「ＹＥＳ」の場合には、ステップＳ０４に進む。
ステップＳ０４においては、通信端末１１の着信に対する通信相手の電話番号（発信者電話番号）が、目的地電話番号と一致するか否かを判定する。
この判定結果が「ＮＯ」の場合には、ステップＳ０５に進む。一方、この判定結果が「ＹＥＳ」の場合には、ステップＳ０６に進む。
【００１８】
ステップＳ０５においては、着信に対する通信相手に予め設定された応答メッセージ、つまり通信端末１１の所有者が車両の運転中であって着信に対応することができない旨を通知する音声信号を送信して、一連の処理を終了する。
ステップＳ０６においては、車両の現在位置と目的地との間の距離及び到着予定時間を算出する。
ステップＳ０７においては、着信に対する通信相手に予め設定された応答メッセージつまり通信端末１１の所有者が車両の運転中であって着信に対応することができない旨を通知する音声信号と、車両の情報、例えばステップＳ０６にて算出した距離や、目的地への到着予定時刻や、車両の現在位置や、走行経路等の情報を通知する音声信号とを送信して、一連の処理を終了する。
【００１９】
上述したように、本実施の形態によるナビゲーション装置１０によれば、予め目的地設置部３５に記憶された目的地からの着信に対してのみ、車両の情報つまり車両の現在位置や、現在位置と目的地との距離や、目的地への到着予定時刻や、車両の走行経路等の情報を音声信号として通知するため、例えば不特定多数の通信相手からの着信に対して車両の情報を通知する場合に比べて、操作者の要求に応じた個人情報の秘匿性を向上させることができる。
しかも、車両の現在位置に関する情報は、車両の走行経路上の経由地や目的地に対してのみ通知されるため、例えば車両の走行と関係の無い、その他の場所からの着信に対しては、操作者のプライバシーを保護することができる。
【００２０】
なお、上述した本実施形態においては、ナビゲーション装置１０は地図データ記憶部１５を備えるとしたが、これに限定されず、地図データ記憶部１５は、例えば車両の外部に設けられ、通信を介してナビゲーション装置１０と接続可能とされた適宜のサーバ装置等であっても良い。
【００２１】
なお、上述した本実施形態においては、着信に対する通信相手に、予め設定された応答メッセージを通知するとしたが、この応答メッセージは、例えば予め録音された音声メッセージでも良いし、音声合成により生成された音声信号であっても良い。
また、応答メッセージはハンズフリー装置３４にて作成されるとしたが、制御装置２０にて作成されハンズフリー装置３４を介して通信端末１１に出力されても良い。
【００２２】
【発明の効果】
以上説明したように、請求項１に記載の本発明のナビゲーション装置によれば、予め操作者が設定した目的地や走行経路上の経由地からの通信相手にのみ車両の現在位置に関する情報を通知することから、操作者の要求に応じて適切にプライバシーを保護することができ、柔軟に自動応答の設定を行うことができる。
さらに、請求項２に記載の本発明のナビゲーション装置によれば、登録対象とされる通信相手は、操作者の現在位置と共に、操作者の現在位置までの距離の情報を容易に取得することができ、車両の到着を予期して適宜の準備を行うことも可能となる。
さらに、請求項３に記載の本発明のナビゲーション装置によれば、登録対象とされる通信相手は、操作者の現在位置と共に、操作者の現在位置の位置情報を容易に取得することができ、車両の走行状態をより一層詳細に把握することができる。
【図面の簡単な説明】
【図１】  本発明の一実施形態に係るナビゲーション装置の構成図である。
【図２】  図１に示すナビゲーション装置の動作、特に自動応答を行う処理を示すフローチャートである。
【符号の説明】
１０  ナビゲーション装置
１１  通信端末（通信手段）
１２  入力部（目的地入力手段）
１５  地図データ記憶部（地図データ記憶手段、位置情報記憶手段）
３１  自車位置検出部（位置検出手段）
３２  経路算出部（経路算出手段、距離算出手段）
３３  電話番号比較部（識別番号比較手段）
３４  ハンズフリー装置（車両情報通知手段）
３５  目的地設定部（経路情報記憶手段）
【図１】
0004854857.tif 000002
【図２】
0004854857.tif 000003